(57)【要約】      （修正有）【課題】土や泥などの細かなゴミなどが侵入しにくく、使い勝手がよく、十分な防水性を得ることができ、使用者の足にも十分にフィットする長靴を提供する。【解決手段】短筒部１００は、帯状をした樹脂製の表皮部を丸めて、面ファスナーにより固定して短筒状に形成する。短筒部１００の接合部７と固定部１５のそれぞれには、少なくとも一対の面ファスナーが固着されており、表皮部の重なり部１１において、上側に固着されている面ファスナーの幅を狭くし、下側に固着されている前記面ファスナーの幅を広くする。固定部１５の内側には、スポンジ状をしたクッション部と、ゴム製の摩擦形成部を設ける。そして、長靴本体部３の胴部５と短筒部１００とを、略円環状をしており、断面がＵ字状又はＶ字状をした折れ曲がり部を有するゴム製の接合部材を介して接合し、一体化して長靴１を製造する。【選択図】図１
0003197656.tif 000002
【実用新案登録請求の範囲】
【請求項１】
長靴本体部の胴部に、短筒部が接合されて一体化されている長靴であって、
前記短筒部は、
前記長靴本体部の胴部と接合される接合部と、使用者の足に巻きつけられて固定される固定部を有するものであり、
帯状をした樹脂製の表皮部が丸められ、該表皮部の対向する面に固着されている面ファスナーによって固定されて短筒状に形成されているものである
ことを特徴とする長靴。
【請求項２】
前記面ファスナーは、
前記短筒部の前記接合部と前記固定部のそれぞれに、少なくとも一対が固着されており、
前記表皮部の重なり部において、上側に固着されている前記面ファスナーの幅方向の寸法が狭く、下側に固着されている前記面ファスナーの幅方向の寸法が広いものである
ことを特徴とする請求項１に記載の長靴。
【請求項３】
前記短筒部の前記固定部の内側には、
クッション部が設けられている
ことを特徴とする請求項１又は請求項２に記載の長靴。
【請求項４】
前記短筒部の前記固定部の内側の先端部分には、
傾斜部が設けられている
ことを特徴とする請求項１乃至請求項３のいずれか一項に記載の長靴。
【請求項５】
前記短筒部の前記固定部の内側には、
帯状をした摩擦形成部が設けられている
ことを特徴とする請求項１乃至請求項４のいずれか一項に記載の長靴。
【請求項６】
前記長靴本体部の胴部と前記短筒部の接合部とは、
略円環状をしており、断面がＵ字状又はＶ字状をした折れ曲がり部を有する接合部材を介して接合されて一体化されている
ことを特徴とする請求項１乃至請求項５のいずれか一項に記載の長靴。
【考案の詳細な説明】
【技術分野】
【０００１】
本考案は、農作業や土木作業などに使用するための長靴に関するものである。
【背景技術】
【０００２】
農作業や土木作業などにおいて、ゴム製の長靴が一般的に使用されている。これらの長靴は、上方から足を入れるための開口部を有するものである。
【０００３】
そして、農作業中や土木作業中などにおいて、この開口部から泥などのゴミ類が長靴内にたびたび侵入し、ズボンの裾などの着衣を汚し、作業者にとっては不快感を与える。そこで、それらのゴミ類を取り除くためには、一々長靴を脱いで逆様にした状態で、底部を叩くなどをしてゴミ等を落下させて除去する必要があった。
【０００４】
また、長靴は、簡単に履いたり脱いだりができるとともに、足の太さに係わらず、どのような体型の人にも使用できるようにしているので、開口部や胴部などの寸法に十分な余裕をもたせるように製造されている。
【０００５】
したがって、使用者にとってはダブダブ感があり、フィット性に乏しいものとなっている。そして、粘着性のあるぬかるみなどに踏み入れてしまうと、足を持ち上げる際に長靴が脱げてしまうような場合も多々認められていた。
【０００６】
そこで、長靴の開口部を紐で縛ることによって、長靴の開口部と足とをしっかりと固定して、開口部から泥などのゴミが入りにくくするとともに、ぬかるみなどに踏み入れたような場合でも長靴が脱げにくくする考案が開示されている（特許文献１）。
【０００７】
また、長靴の胴部の上下方向に切れ目を入れて、その内側と外側の部分に面ファスナーを取り付けて、開口部や胴部の径を可変な構造にすることによって、長靴と足とをしっかりとフィットさせて固定するようにした構造の考案も開示されている（特許文献２）。
【０００８】
加えて、長靴の開口部の上方に、新たにメッシュ製のカバーを取り付けることによって、比較的大きなゴミ類などが長靴内に入りにくくした構造の考案も開示されている（特許文献３）。
【先行技術文献】
【特許文献】
【０００９】
【特許文献１】実開平５−７０３０１号公報
【特許文献２】実用新案登録第３１５５９５５号公報
【特許文献３】実開平６−８２９０７号公報
【考案の概要】
【考案が解決しようとする課題】
【００１０】
しかしながら、上述した特許文献１に記載されている長靴は、紐を用いて開口部と足とを縛り付けて固定しているので、長靴を履いたり脱いだりする際に、紐を結んだり、解いたりする作業が必要となり煩わしく、使い勝手が悪いというような問題点があった。また、細い紐で開口部と足とを縛り付けて固定しているので、長靴と足とのフィット性に乏しいというような問題点もあった。
【００１１】
さらに、紐をきつく締め付けていても、足の動きに連動して、長靴の開口部と足（又はズボン等の着衣）との間に隙間が生じて、その隙間部分から小石や泥などのゴミが長靴内に侵入してしまうという問題点もあった。
【００１２】
また、特許文献２に記載されている長靴は、面ファスナーを用いて開口部と足とを固定しているので使いやすい構造ではあるものの、長靴の胴部に上下方向の切れ目が入っているので十分な防水性を確保することができないというような問題点があった。すなわち、特許文献２に記載されている長靴は、長靴本来の防水機能を十分に満足することができないというような問題点があった。
【００１３】
特許文献３に記載されている長靴は、長靴の開口部の上方に目の粗いメッシュ製のカバーを用いているので、土や泥などの比較的細かなゴミ類が長靴内に侵入するというような問題点があった。また、メッシュ製のカバーの部分に雑草の種子などが付着しやすく、その除去作業が煩わしいというような問題点もあった。
【００１４】
加えて、特許文献３に記載されている長靴は、長靴の上方部分と足とをしっかりと固定することができないので、フィット性にも乏しいものであった。その結果、ぬかるみなどで長靴が脱げてしまうというような問題点もあった。
【００１５】
本考案は、上述した問題点を解決するものであり、土や泥などの細かなゴミが長靴内に侵入しにくく、使い勝手がよく、十分な防水性を得ることができ、フィット性にも優れた長靴を提供するものである。
【課題を解決するための手段】
【００１６】
本考案は、上述したような従来からの問題点を解決するものである。
【００１７】
請求項１に記載された考案は、
長靴本体部の胴部に、短筒部が接合されて一体化されている長靴であって、
前記短筒部は、
前記長靴本体部の胴部と接合される接合部と、使用者の足に巻きつけられて固定される固定部を有するものであり、
帯状をした樹脂製の表皮部が丸められ、該表皮部の対向する面に固着されている面ファスナーによって固定されて短筒状に形成されているものである
ことを特徴としている。
【００１８】
請求項１に記載の考案によると、使用者の足の太さの違いにも対応して短筒部をしっかりと足に固定することができる。したがって、開口部から泥などのゴミが入りにくくするとともに、ぬかるみなどでも長靴が脱げにくくすることができる。
【００１９】
請求項２に記載した考案は、請求項１に記載の長靴において、
前記面ファスナーは、
前記短筒部の前記接合部と前記固定部のそれぞれに、少なくとも一対が固着されており、
前記表皮部の重なり部において、上側に固着されている前記面ファスナーの幅方向の寸法が狭く、下側に固着されている前記面ファスナーの幅方向の寸法が広いものである
ことを特徴としている。
【００２０】
請求項２に記載の考案によると、請求項１に記載の考案の効果に加えて、面ファスナーの部分にゴミなどが付着しにくく、さらに面ファスナーの使用量を低減することができる。
【００２１】
請求項３に記載した考案は、請求項１又は請求項２に記載の長靴において、
前記短筒部の前記固定部の内側には、
クッション部が設けられている
ことを特徴としている。
【００２２】
請求項３に記載の考案によると、使用者の足に十分にフィットする長靴を提供することができる。
【００２３】
請求項４に記載の考案は、請求項１乃至請求項３のいずれか一項に記載の長靴であって、
前記短筒部の前記固定部の内側の先端部分には、
傾斜部が設けられている
ことを特徴としている。
【００２４】
請求項４に記載の考案によると、足の動きに連動して、長靴の開口部と足との間の隙間部分に小石や泥などのゴミなどが入り込んだような場合でも、傾斜部の上面部分にゴミなどが引っ掛かり、そのまま保持されるので長靴内にゴミなどが侵入しにくくすることができる。
【００２５】
請求項５に記載の考案は、請求項１乃至請求項４のいずれか一項に記載の長靴であって、
前記短筒部の前記固定部の内側には、
帯状をした摩擦形成部が設けられている
ことを特徴としている。
【００２６】
請求項５に記載の考案によると、使用中における短筒部のずれ落ちを防止することができる。
【００２７】
請求項６に記載の考案は、請求項１乃至請求項５のいずれか一項に記載の長靴であって、
前記長靴本体部の胴部と前記短筒部の接合部とは、
略円環状をしており、断面がＵ字状又はＶ字状をした折れ曲がり部を有する接合部材を介して接合されて一体化されている
ことを特徴としている。
【００２８】
請求項６に記載の考案によると、長靴本体部の胴部と短筒部の接合部の間にたるみ部分が形成される。その結果、足の動きに連動して、長靴の開口部と足（又はズボン等の着衣）との間に隙間が生じるようなことはなく、小石や泥などのゴミが長靴内に侵入することを防止できる。
【考案の効果】
【００２９】
本考案を用いると、土や泥などの細かなゴミなどが長靴内に侵入しにくく、使い勝手がよく、十分な防水性を得ることができるとともに、使用者の足にもフィットする長靴を提供することができる。
【図面の簡単な説明】
【００３０】
【図１】長靴１の概略図である。
【００３１】
（ａ）使用前の斜視図及び拡大断面図である。
【００３２】
（ｂ）使用中の斜視図である。
【図２】短筒部１００，２００の概略図及び拡大断面図である。
【図３】短筒部３００の概略図及び拡大断面図である。
【図４】接合部７の改良例である。
【００３３】
（ａ）分解斜視図である。
【００３４】
（ｂ）使用前の斜視図及び拡大断面図である。
【考案を実施するための形態】
【００３５】
以下において、本考案に係わる長靴１の実施の形態について図１〜図４を用いて詳細に説明する。本考案に係わる長靴１は、長靴本体部３と短筒部１００，２００，３００とが接合されて一体化されているものである。
＜実施例１＞
実施例１の長靴１は、長靴本体部３と短筒部１００を有するものであり、長靴１の上方の胴部５と短筒部１００の下部（接合部７）が接合されて一体化されているものである（図１（ａ））。なお、図１（ｂ）では、膝下部分に短筒部１００が存在する場合の実施例について示しており、理解を容易にするためにズボンなどの着衣を省略した一例が図示されている。
（１）長靴本体部３
長靴本体部３は、天然ゴム又は天然ゴムと合成ゴムの混合物などを用いて製造・販売がされているものであり、一般的にはゴム長などと称されているゴム製のものである。長靴本体部３として市販品をそのまま用いているので、安価に製造できるとともに、切れ目を入れるなどの加工をしていないので十分な防水機能を満足することができる。
【００３６】
後述するように、短筒部１００の下部と長靴本体部３の胴部５の上端とは、例えば、接着、溶着又は縫合などによりしっかりと接合されている。
（２）短筒部１００
短筒部１００は、帯状をした樹脂製の表皮部２１と面ファスナーなどの固定部材によって構成されている（図２）。そして、樹脂製の帯状をした表皮部２１が丸められ、その対向する面に固着されている面ファスナーによって固定されて短筒状に形成されているものである。
【００３７】
この表皮部２１は、長靴本体部３の胴部５と接合し、一体化するための接合部７と、使用者の足１３に巻きつけて、しっかりと固定するための固定部１５とを有するものである。
【００３８】
表皮部２１の素材としては、比較的柔らかで丈夫な熱可塑性の樹脂、例えば、ナイロン、ポリプロピレン、ポリエステルなどの樹脂を用いるのが好ましい。表皮部２１の素材として比較的柔らかな熱可塑性の樹脂を用いることによって、雑草の種子などが付着しにくい長靴１を提供することができる。
【００３９】
この帯状をした樹脂製の固定部１５（短筒部１００の一部）を、使用者の足１３にしっかりと固定するための固定手段として、例えば、フック１７ａ，ｂとループ１９ａ，ｂなどの対（以下において、フック１７ａとループ１９ａなどの対を単に面ファスナーと呼ぶ。）で構成される２対の面ファスナーを用いた（図２）。これらの面ファスナーは、例えば、接着剤や熱溶着などの手段によって表皮部２１に固着されている。
【００４０】
この面ファスナーは、短筒部１００の下側の接合部７と上側の固定部１５のそれぞれに少なくとも一対（計二対）が固着されている。そして、表皮部２１の重なり部１１において、上側に位置するループ１９ａ，ｂの幅方向の寸法（横方向の寸法）を狭くし、下側に位置するフック１７ａ，ｂの幅方向の寸法を広くするようにした。なお、面積の大きい固定部１５の面ファスナーの部分を、２対又は３対に分割して使用することもできる（図示せず）。
【００４１】
このような形状の少なくとも計２対の面ファスナーを用いることによって、面ファスナーの部分にゴミなどが付着しにくくすることができる。
【００４２】
さらに、面ファスナーの使用量を低減するとともに、使用者の足の太さにも対応して短筒部１００を縮径することができるので、しっかりと足１３に固定することができる（図１（ｂ））。したがって、開口部９（図１（ａ））から泥などのゴミが入りにくくできるとともに、ぬかるみなどでも長靴が脱げにくくすることができる。
【００４３】
また、表皮部２１の外側に位置する重なり部１１の端部にはつまみ１７、例えば、表皮部２１と同材質のものを複数枚貼りあわせたり、その部分の厚みを厚くしたものなどを設けるとともに、使用時においてつまみ１７の位置が後ろ側になるようにした（図１（ｂ））。
【００４４】
このようなつまみ１７を表皮部２１の外側で、かつ後ろ側に設置することによって、長靴を履いたり脱いだりする際の作業が容易になるとともに、雑草や木の枝などが引っ掛かりにくくすることができる。
【００４５】
さらに、固定部１５の表皮部２１の内側には、例えば、ウレタン・スポンジ・フォームなどのクッション部２３を設けた（短筒部２００。図２の上方に、その一部分の拡大断面図を記載した。）。
【００４６】
固定部１５の表皮部２１の内側にスポンジ状をしたクッション部２３を設けることによって、使用者の足１３に十分にフィットさせることができるので違和感の少ない長靴１を提供することができる。
【００４７】
さらに、短筒部２００の固定部１５の内側の先端部分には、例えば、傾斜角度（θ）として４５度〜７５度程度の傾斜部１２を設けるようにした（図２）。足の動きに連動して、長靴の開口部と足（又はズボン等の着衣）との間に隙間が生じる場合があり、その隙間部分に小石や泥などのゴミなどが入り込んだような場合でも、傾斜部１２の上面部分に泥などのゴミが引っ掛かり、そのまま保持されるので長靴内にゴミなどが侵入しにくくすることができる。
＜実施例２＞
本考案に係わる長靴１において、短筒部２００にさらなる改良を加えた実施例２について図３を用いて説明する（短筒部３００）。なお、上述した実施例１との共通部分は一部を省略して説明する。
【００４８】
すなわち、短筒部３００は、固定部１５の内側に帯状をした摩擦形成部２５ａ〜ｃを設けたものであり、表皮部２１とクッション部２３と摩擦形成部２５ａ〜ｃの三層構造のものである（図３）。本実施例では、摩擦形成部２５ａ〜ｃとして、例えば、３本のゴム製のバンドをクッション部２３の表面に固着した。
【００４９】
このゴム製の摩擦形成部２５ａ〜ｃを設けることによって、使用中における短筒部３００の足１３からのずれ落ちを防止することができる。
＜実施例３＞
本考案に係わる長靴１のさらなる改良について図４を用いて説明する。なお、上述した実施例１及び実施例２との共通部分は一部を省略して説明する。
【００５０】
この長靴１は、長靴本体部３の胴部５と短筒部１００，２００，３００の接合部７の間に、新たに接合部材３１を設けるものである（図４（ａ））。この接合部材３１は、材質がゴム製のもの、例えば天然ゴム又は天然ゴムと合成ゴムの混合物などが好ましく、管状（円筒形状）の底面部分を上方にめくりあげることによって略円環状をしており、断面がＵ字状又はＶ字状をした折れ間がり部３３を有するものである（図４（ｂ）の拡大断面図）。
【００５１】
この接合部材３１と長靴本体部３の胴部５と短筒部１００，２００，３００とは、例えば、接着、溶着又は縫合などによって接合されている。すなわち、長靴本体部３の胴部５と短筒部１００，２００，３００の接合部７とは、Ｕ字状又はＶ字状をした折れ間がり部３３を有する接合部材３１を介して接合されて一体化されている。
【００５２】
長靴本体部３の胴部５と、短筒部１００，２００，３００の接合部７の間にゴム製の接合部材３１を設けることによって、たるみ部分が形成されて緩衝部分となる。その結果、足の動きに連動して、長靴の開口部と足（又はズボン等の着衣）との間に隙間が生じるようなことはなく、小石や泥などのゴミが長靴内に侵入することを防止することができる。
【産業上の利用可能性】
【００５３】
本考案に係わる長靴１は、農作業や土木作業などに使用することができる。
【符号の説明】
【００５４】
１  長靴
３  長靴本体部
５  胴部
７  接合部
９  開口部
１１  重なり部
１２  傾斜部
１３  足
１５  固定部
１７  つまみ
１７ａ，ｂ  フック
１９ａ，ｂ  ループ
２１  表皮部（外側）
２３  クッション部
２５ａ，ｂ，ｃ  摩擦形成部
３１  接合部材
３３  折れ曲がり部
１００，２００，３００  短筒部
【図１】
0003197656.tif 000003
【図２】
0003197656.tif 000004
【図３】
0003197656.tif 000005
【図４】
0003197656.tif 000006